(57)【特許請求の範囲】
【請求項１】
対向して平行に位置する２本の土台におけるそれぞれの幅方向中心間の距離を等間隔に区分する位置に適数の根太が取り付けられ、各土台に接する位置には前記根太と同寸法の際根太が取り付けられている構造を備えた床構造を断熱するために前記際根太と該際根太に隣接する根太の間および隣接する根太同士の間に挿入するのに用いられる合成樹脂発泡体製の床用断熱材であって、
前記床用断熱材は、土台の横幅ＹがＹ１およびＹ２（＞Ｙ１）、根太および際根太の横幅Ｄ（＜Ｙ）がＤ１およびＤ２（＞Ｄ１）である異なる４つの態様の前記床構造で用いることが予定されているものであり、
前記床用断熱材は、平板状で矩形形状をなす中央部分と、該中央部分の長手方向の一方および他方の側辺側からほぼＶ字状をなす第１および第２の割溝を介して斜め下方に傾斜した該中央部分と実質的に同じ厚みを持ちかつほぼ矩形形状をなす第１および第２の側方部分とを有し、
前記各側方部分の長手方向に沿った側方端面は、その上縁がその下縁よりも外方に位置する傾斜面とされかつ前記双方の側方端面の下縁間の距離は前記隣接する根太間の距離よりやや狭く、上縁間の距離は前記隣接する根太間の距離よりも広くされており、
前記第１の割溝の前記中央部分側の位置は、床用断熱材を平板状の姿勢とした状態で前記第１の側方部分の側方端面から前記土台の横幅Ｙ１と根太の横幅Ｄ１の和のほぼ半分の距離Ｚ１だけ内側に入った位置とされており、
前記第２の割溝の前記中央部分側の位置は、床用断熱材を平板状の姿勢とした状態で前記第２の側方部分の側方端面から前記土台の横幅Ｙ２と根太の横幅Ｄ２との和のほぼ半分の距離Ｚ２だけ内側に入った位置とされており、
前記第１の割溝と第２の割溝の上端の開口幅は１．５（Ｄ２−Ｄ１）以上の距離とされていることを特徴とする床用断熱材。
【請求項２】
対向して平行に位置する２本の土台におけるそれぞれの幅方向中心間の距離を等間隔に区分する位置に適数の根太が取り付けられ、各土台に接する位置には前記根太と同寸法の際根太が取り付けられている構造を備えた床構造を断熱するために前記際根太と該際根太に隣接する根太の間および隣接する根太同士の間に挿入するのに用いられる合成樹脂発泡体製の床用断熱材であって、
前記床用断熱材は、土台の横幅ＹがＹ１およびＹ２（＞Ｙ１）、根太および際根太の横幅がＤ（＜Ｙ）である異なる２つの態様の前記床構造で用いることが予定されているものであり、
前記床用断熱材は、平板状で矩形形状をなす中央部分と、該中央部分の長手方向の一方および他方の側辺側からほぼＶ字状をなす第１および第２の割溝を介して斜め下方に傾斜した該中央部分と実質的に同じ厚みを持ちかつほぼ矩形形状をなす第１および第２の側方部分とを有し、
前記各側方部分の長手方向に沿った側方端面は、その上縁がその下縁よりも外方に位置する傾斜面とされかつ前記双方の側方端面の下縁間の距離は前記隣接する根太間の距離よりやや狭く、上縁間の距離は前記隣接する根太間の距離よりも広くされており、
前記第１の割溝の前記中央部分側の位置は、床用断熱材を平板状の姿勢とした状態で前記第１の側方部分の側方端面から前記土台の横幅Ｙ１と根太の横幅Ｄの和のほぼ半分の距離Ｚ１だけ内側に入った位置とされており、
前記第２の割溝の前記中央部分側の位置は、床用断熱材を平板状の姿勢とした状態で前記第２の側方部分の側方端面から前記土台の横幅Ｙ２と根太の横幅Ｄとの和のほぼ半分の距離Ｚ２だけ内側に入った位置とされており、
前記第１の割溝と第２の割溝の上端の開口幅は、少なくとも前記双方の側方部分の側方端面の上縁間の距離と下縁間の距離の差に等しいか前記差よりも広い距離とされていることを特徴とする床用断熱材。
【請求項３】
対向して平行に位置する２本の土台におけるそれぞれの幅方向中心間の距離を等間隔に区分する位置に適数の根太が取り付けられ、各土台に接する位置には前記根太と同寸法の際根太が取り付けられている構造を備えた床構造を断熱するために前記際根太と該際根太に隣接する根太の間および隣接する根太同士の間に挿入するのに用いられる合成樹脂発泡体製の床用断熱材であって、
前記床用断熱材は、土台の横幅がＹ、根太および際根太の横幅Ｄ（＜Ｙ）がＤ１およびＤ２（＞Ｄ１）である異なる２つの態様の前記床構造で用いることが予定されているものであり、
前記床用断熱材は、平板状で矩形形状をなす中央部分と、該中央部分の長手方向の一方および他方の側辺側からほぼＶ字状をなす第１および第２の割溝を介して斜め下方に傾斜した該中央部分と実質的に同じ厚みを持ちかつほぼ矩形形状をなす第１および第２の側方部分とを有し、
前記各側方部分の長手方向に沿った側方端面は、その上縁がその下縁よりも外方に位置する傾斜面とされかつ前記双方の側方端面の下縁間の距離は前記隣接する根太間の距離よりやや狭く、上縁間の距離は前記隣接する根太間の距離よりも広くされており、
前記第１の割溝の前記中央部分側の位置は、床用断熱材を平板状の姿勢とした状態で前記第１の側方部分の側方端面から前記土台の横幅Ｙと根太の横幅Ｄ１の和のほぼ半分の距離Ｚ１だけ内側に入った位置とされており、
前記第２の割溝の前記中央部分側の位置は、床用断熱材を平板状の姿勢とした状態で前記第２の側方部分の側方端面から前記土台の横幅Ｙと根太の横幅Ｄ２との和のほぼ半分の距離Ｚ２だけ内側に入った位置とされており、
前記第１の割溝と第２の割溝の上端の開口幅は、少なくとも前記双方の側方部分の側方端面の上縁間の距離と下縁間の距離の差に等しいか前記差よりも広い距離とされていることを特徴とする床用断熱材。
【請求項４】
請求項１ないし３のいずれか一項に記載の床用断熱材の複数枚が幅方向に間隔を置いて配置されており、隣接する該床用断熱材の群は可撓性を有する帯材によって互いに連接されていることを特徴とする床用断熱材ユニット。
【請求項５】
各床用断熱材は、前記中央部分の領域において前記帯材と一体に接合していることを特徴とする請求項４に記載の床用断熱材ユニット。
【請求項６】
請求項１ないし３のいずれか一項に記載された床用断熱材または請求項４または５に記載の床用断熱材ユニットを用いた床断熱構造であって、床構造は、対向して平行に位置する２本の土台におけるそれぞれの幅方向中心間の距離を等間隔に区分する位置に適数の根太が取り付けられ、各土台に接する位置には前記根太と同寸法の際根太が取り付けられている構造を備えた床構造であり、その床構造における前記際根太と該際根太に隣接する根太の間には、前記床用断熱材から第１の側方部分または第２の側方部分のいずれか一方を前記割溝の部分から除去した後の床用断熱材が挿入されており、隣接する根太同士の間には、前記床用断熱材がそのまま挿入されている構造を少なくとも備えることを特徴とする床断熱構造。
【発明の詳細な説明】
【技術分野】
【０００１】
本発明は、軸組木造建築物における床部分を断熱するための床用断熱材とそれを用いた床断熱構造に関する。
【背景技術】
【０００２】
軸組工法で組み立てられる木造建築物において、床構造は、通常、布基礎の上に土台が固定され、該土台に平行に適数の大引が配置され、該大引の上に大引と直交するように適数の根太が配置された構成とされている。そして、当該床構造に断熱性を持たせるために、配置した根太と根太の間に合成樹脂発泡体である断熱材を挿入する断熱工法も行われる。特許文献１および特許文献２には、そのような断熱工法とそこで用いる断熱材の例が記載されている。
【０００３】
特許文献１には、軸組木造建築物における床において、根太間一般部での標準根太間距離と、際根太とそれに隣接する根太との間の際根太間距離とは相違することに鑑みて、標準根太間距離の横幅を持つ合成樹脂発泡体製の断熱材に、その一方側縁から所定距離の位置に側縁に平行に幅のない切り込みを形成しておき、根太間一般部では断熱材をそのままで挿入し、前記際根太とそれに隣接する根太の間には、施工現場で前記切り込みを利用して一部を除去することで幅の狭くなった断熱材を挿入することが記載されている。これによれば、一種類の断熱材を用意するだけで、根太間一般部と際根太部分の双方に容易に断熱材を配置することが可能となる。また、軸組工法において、一般に、横幅の異なる２種類の根太が採用されているが、それに対しては、距離の異なる位置に前記切り込みを形成した２種類の断熱材を用意することで、それぞれに対処するようにしている。
【０００４】
また、特許文献２には、長方形である合成樹脂発泡体製の断熱材を、側縁に沿って形成した２本の割溝によって中央部分と２つの側方部分とに区分けするとともに、該側方部分の側面を５°〜２０°の範囲で斜め下方に傾斜させるようにした断熱材が記載されている。この断熱材を隣接する根太間に挿入し、その後、上から押し付けることで、断熱材は根太間にしっかりと挿入された状態となる。
【先行技術文献】
【特許文献】
【０００５】
【特許文献１】特開平７−２１７０１４号公報
【特許文献２】特開平１０−１１０４８３号公報
【発明の概要】
【発明が解決しようとする課題】
【０００６】
一般に、軸組木造建築物の床部では、根太として横幅の異なる２種類の角材が選択的に用いられ、また、土台にも横幅の異なる２種類の角材が選択的に用いられる。具体的には、土台には１０５ｍｍの角材と１２０ｍｍの角材が用いられ、根太には４０ｍｍの角材と４５ｍｍの角材が用いられる。特許文献１に記載の床用断熱材では、明確には記載されないが、土台として１０５ｍｍの角材を用いることを前提に、４０ｍｍ角の根太を用いる床構造には、断熱材の側縁から７２．５ｍｍの位置に切り込みを入れた第１の断熱材を用い、４５ｍｍ角の根太を用いる床構造には、断熱材の側縁から７５．０ｍｍの位置に切り込みを入れた第２の断熱材を用いるようにしていると考えられる。
【０００７】
前記したように、軸組工法における床構造においては、２種類の寸法の土台と２種類の寸法の根太とが適宜選択されて施工されるものであるところ、特許文献１に記載の床用断熱材は１種類の寸法の土台のみに対応したものであり、２種類の寸法の土台に対する考察はなされていない。また、１種類の土台寸法に対しても、２種類の根太寸法に応じた２種の床用断熱材を用いるようにしており、もし、２種類の土台寸法に対して適用しようとすると、計４種類の床用断熱材を用いることとなる。そのために、施工業者あるいは断熱材メーカーは、需要に適切に対応するために、２種類または４種類の床用断熱材を常時用意しておく必要があり、在庫管理、製品管理など観点からは、さらに改善すべき点がある。
【０００８】
本発明は、上記の事情に鑑みてなされたものであり、軸組木造建築物の床部に標準として採用されている２種類の寸法の土台および２種類の寸法の根太とがどのように組み合わされて床構造が造られている場合でも、１種類の床用断熱材を用意するのみで、すべての根太一般部（隣接する根太同士の間）および際根太部（際根太と該際根太に隣接する根太との間）に適切にかつ容易に挿入することのできる床用断熱材を提供することを課題とする。また、その床用断熱材を用いた床面の断熱構造を提供することを課題とする。
【課題を解決するための手段】
【０００９】
本発明による床用断熱材は、対向して平行に位置する２本の土台におけるそれぞれの幅方向中心間の距離Ｓを等間隔Ｘに区分する位置に適数の根太が取り付けられ、各土台に接する位置には前記根太と同寸法の際根太が取り付けられている構造を備えた床構造を断熱するために前記際根太と該際根太に隣接する根太の間および隣接する根太同士の間に挿入するのに用いられる合成樹脂発泡体製の床用断熱材１０であって、前記床用断熱材は、土台の横幅ＹがＹ１およびＹ２（＞Ｙ１）、根太および際根太の横幅Ｄ（＜Ｙ）がＤ１およびＤ２（＞Ｄ１）である異なる４つの態様の前記床構造で用いることが予定されているものであり、前記床用断熱材は、平板状で矩形形状をなす中央部分１０ａと、該中央部分の長手方向の一方および他方の側辺側からほぼＶ字状をなす第１および第２の割溝Ｓ１、Ｓ２を介して斜め下方に傾斜した該中央部分と実質的に同じ厚みを持ちかつほぼ矩形形状をなす第１および第２の側方部分１０ｂ、１０ｃとを有し、前記各側方部分の長手方向に沿った側方端面１１、１２は、その上縁がその下縁よりも外方に位置する傾斜面とされており、前記双方の側方部分１０ｂ、１０ｃの長手方向に沿った側方端面１１、１２の下縁間の距離Ｐ１は、前記隣接する根太間の距離よりやや狭いものとされ、上縁間の距離Ｐ２は前記隣接する根太間の距離よりも広くされており、前記第１の割溝Ｓ１の前記中央部分１０ａ側の位置は、床用断熱材１０を平板状の姿勢とした状態で前記第１の側方部分１０ｂの側方端面１１から前記土台の横幅Ｙ１と根太の横幅Ｄ１の和のほぼ半分の距離Ｚ１だけ内側に入った位置とされており、前記第２の割溝Ｓ２の前記中央部分１０ａ側の位置は、床用断熱材１０を平板状の姿勢とした状態で前記第２の側方部分１０ｃの側方端面１２から前記土台の横幅Ｙ２と根太の横幅Ｄ２との和のほぼ半分の距離Ｚ２だけ内側に入った位置とされており、前記第１の割溝Ｓ１と第２の割溝の上端の開口幅Ｗはそれぞれの側方部分側に向けてほぼ１．５（Ｄ２−Ｄ１）以上の距離とされていることを特徴とする。
【００１０】
上記の床用断熱材は、基本構成として、中央部分１０ａと、その両側にほぼＶ字状をなす割溝Ｓ１、Ｓ２を介して斜め下方に傾斜したほぼ矩形形状をなす第１および第２の側方部分１０ｂ、１０ｃとを備える。そして、前記各側方部分１０ｂ、１０ｃの長手方向に沿った側方端面１１、１２は、その上縁がその下縁よりも外方に位置する傾斜面とされ、さらに、前記双方の側方端面１１、１２の下縁間の距離Ｐ１は前記隣接する根太間の距離Ｔａよりやや狭く、上縁間の距離Ｐ２は前記隣接する根太間の距離Ｔａよりも広くされている。
【００１１】
したがって、根太一般部すなわち隣接する根太と根太の間では、上記床用断熱材をそのままの姿勢で裏面側から容易に挿入することができる。挿入後にさらに上から押し付けることで、床用断熱材は、双方の側方部分１０ｂ、１０ｃが前記Ｖ字状をなす割溝Ｓ１、Ｓ２の幅を次第に狭くする方向に回動しながら下方に向けて移動していき、最後には、全体が平板状の姿勢となって根太と根太との間に隙間のない状態で嵌め込まれる。それにより、根太一般部には、合成樹脂発泡体製の床用断熱材１０による断熱層が形成される。
【００１２】
次に、際根太と該際根太に隣接する根太との間に、本発明による床用断熱材を挿入する場合を説明する。軸組工法による床構造において、根太一般部での根太間の距離Ｔａは前記距離Ｘ−距離Ｄであり、際根太とそこに隣接する根太の壁間の距離Ｔｂは前記Ｔａ−１／２（距離Ｙ＋距離Ｄ）となる。
【００１３】
したがって、本発明による床用断熱材において、前記のように第１の割溝Ｓ１と第２の割溝Ｓ２とを形成し、第１の割溝Ｓ１の前記中央部分１０ａ側の位置を、床用断熱材１０を平板状の姿勢とした状態で第１の側方部分１０ｂの側方端面１１から土台の横幅Ｙ１と根太の横幅Ｄ１の和のほぼ半分の距離Ｚ１だけ内側に入った位置とし、第２の割溝Ｓ２の前記中央部分１０ａ側の位置を、床用断熱材１０を平板状の姿勢とした状態で第２の側方部分１０ｃの側方端面１２から土台の横幅Ｙ２と根太の横幅Ｄ２との和のほぼ半分の距離Ｚ２だけ内側に入った位置としている。
【００１４】
そのために、横幅Ｙ１の土台を用いた床構造に対しては、割溝Ｓ１を利用して前記第１の側方部分を除去した床用断熱材、すなわち前記中央部分１０ａと第２の側方部分１０ｃとからなる床用断熱材を用いることで、際根太とそこに隣接する根太との間に容易に床用断熱材を挿入することができる。また、横幅Ｙ２の土台を用いた床構造に対しては、割溝Ｓ２を利用して前記第２の側方部分を除去した床用断熱材、すなわち第１の側方部分１０ｂと中央部分１０ａとからなる床用断熱材を用いることで、際根太とそこに隣接する根太との間に容易に床用断熱材を挿入することができる。
【００１５】
横幅Ｙ１の土台を用いた床構造において、横幅Ｄ１および横幅Ｄ２の根太が用いられるケースがある。また、横幅Ｙ２の土台を用いた床構造においても、横幅Ｄ１および横幅Ｄ２の根太が用いられるケースもある。それに対処するために、すなわち根太寸法の違いに対処するために、本発明による床用断熱材は、前記第１の割溝Ｓ１と第２の割溝の上端の開口幅Ｗはそれぞれの側方部分側に向けてほぼ１．５（Ｄ２−Ｄ１）以上の距離とされている構成を備える。いずれか一方の側方部分を除去した状態の床用断熱材においても、他方の側方部分と中央部分との間には依然としてして割溝（Ｓ１またはＳ２）が残っているので、際根太とそこに隣接する根太との間に床用断熱材を挿入するときに、残っている側の割溝がその幅を次第に狭くすることで、根太の横幅の違いに伴う前記際根太とそこに隣接する根太の壁間の距離Ｔｂの差を吸収することができる。
【００１６】
上記のように、本発明による床用断熱材を用いることにより、軸組木造建築物の床部に標準として採用されている２種類の寸法の土台および２種類の寸法の根太とがどのように組み合わされて床構造が造られている場合でも、そのすべてに対して、根太一般部（隣接する根太同士の間）および際根太部（際根太と該際根太ら隣接する根太との間）の双方に適切にかつ容易に断熱材を挿入することができるようになる。そのために、床用断熱材の在庫管理や製品管理も容易となる。
【００１７】
上記した床用断熱材は、２種類の寸法の土台および２種類の寸法の根太で造られる４種類の床構造のすべてに対して対応できるようにしたものであり、そのために、前記第１の割溝Ｓ１と第２の割溝Ｓ２の上端の開口幅Ｗは、１．５（Ｄ２−Ｄ１）以上の距離とする必要がある。床構造の種類によっては、床用断熱材を根太間に挿入した状態で、前記Ｖ字状の割溝は依然として断熱性能上での有意な隙間を残していることも起こりうる。それを回避することのできる床用断熱材として、本発明は、土台幅ＹがＹ１およびＹ２と異なるが、用いる根太の横幅はＤの一種のみである２態様の床構造に用いるのに適した第２の床用断熱材と、土台幅はＹの一種であるが、用いる根太の横幅ＤがＤ１およびＤ２と異なる２態様の床構造に用いるのに適した第３の床用断熱材も開示する。
【００１８】
前記第２の床用断熱材では、前記第１の割溝Ｓ１の前記中央部分１０ａ側の位置は、床用断熱材１０を平板状の姿勢とした状態で前記第１の側方部分１０ｂの側方端面１１から前記土台の横幅Ｙ１と根太の横幅Ｄの和のほぼ半分の距離Ｚ１だけ内側に入った位置とされており、前記第２の割溝Ｓ２の前記中央部分１０ａ側の位置は、床用断熱材１０を平板状の姿勢とした状態で前記第２の側方部分１０ｃの側方端面１２から前記土台の横幅Ｙ２と根太の横幅Ｄとの和のほぼ半分の距離Ｚ２だけ内側に入った位置とされており、前記第１の割溝Ｓ１と第２の割溝の上端の開口幅Ｗはそれぞれの側方部分１０ｂ、１０ｃ側に向けて少なくとも前記双方の側方部分の側方端面１１、１２の上縁間の距離Ｐ２と下縁間の距離Ｐ１の差に等しいか前記差よりも広い距離とされている点で、４態様で使用可能な前記床用断熱材と構成を異にする。
【００１９】
前記第３の床用断熱材では、前記第１の割溝Ｓ１の前記中央部分１０ａ側の位置は、床用断熱材１０を平板状の姿勢とした状態で前記第１の側方部分１０ｂの側方端面１１から前記土台の横幅Ｙと根太の横幅Ｄ１の和のほぼ半分の距離Ｚ１だけ内側に入った位置とされており、前記第２の割溝Ｓ２の前記中央部分１０ａ側の位置は、床用断熱材１０を平板状の姿勢とした状態で前記第２の側方部分１０ｃの側方端面１２から前記土台の横幅Ｙと根太の横幅Ｄ２との和のほぼ半分の距離Ｚ２だけ内側に入った位置とされており、前記第１の割溝Ｓ１と第２の割溝の上端の開口幅Ｗはそれぞれの側方部分１０ｂ、１０ｃ側に向けて少なくとも前記双方の側方部分の側方端面１１、１２の上縁間の距離Ｐ２と下縁間の距離Ｐ１の差に等しいか前記差よりも広い距離とされているで、４態様で使用可能な前記床用断熱材と構成を異にする。
【００２０】
第２の床用断熱材においては、土台の横幅が異なる２種類の床構造に用いる場合に、それぞれいずれか一方の側方部分１０ｂ、１０ｃを除去することで、際根太と該際根太に隣接する根太の間に挿入する床用断熱材とする。また、第３の床用断熱材においては、根太の横幅が異なる２種類の床構造に用いる場合に、それぞれいずれか一方の側方部分１０ｂ、１０ｃを除去することで、際根太と該際根太に隣接する根太の間に挿入する床用断熱材とする。根太一般部すなわち隣接する根太間には第２の床用断熱材または第３の床用断熱材をそのまま挿入する。
【００２１】
第２および第３の床用断熱材において、割溝Ｓ１、Ｓ２は、基本的に、根太間あるいは際根太と根太間に床用断熱材を挿入するときに、側方部分が前記上縁間の距離Ｐ２と下縁間の距離Ｐ１の差分だけ回動することができるように設けられる。したがって、割溝Ｓ１、Ｓ２の上端側の距離Ｗは狭いものでよく、断熱性が破壊される可能性を極力小さくすることができる利点がある。もちろん、前記上縁間の距離Ｐ２と下縁間の距離Ｐ１の差分よりも少し（２〜３ｍｍ程度）広くしておくことで、際根太を含む根太設置の施工誤差にも対応可能となる。
【００２２】
なお、本発明において、前記並行して走る根太の中心間の間隔Ｘの値、根太の横幅Ｄの値、土台の横幅Ｙの値に特に制限はないが、現在の軸組工法を参照すれば、前記隣接する根太の中心間距離Ｘは３０３ｍｍ前後か４５５ｍｍ前後であり、Ｄ１が４０ｍｍ前後、Ｄ２が４５ｍｍ前後、Ｙ１が１０５ｍｍ前後、Ｙ２が１２０ｍｍ前後の値が選択される。そして、根太の中心間距離Ｘが３０３ｍｍ前後または４５５ｍｍ前後のいずれであっても、前記した距離Ｚ１、Ｚ２の値は同じである。より具体的には、本発明による床用断熱材において、前記Ｙが１０５ｍｍ前後または１２０ｍｍ前後、Ｄが４０ｍｍ前後または４５ｍｍ前後である軸組木造建築物の根太間に挿入される場合には、当該断熱材の幅方向の一方の側縁から略７２．５〜７５．０ｍｍの距離Ｚ１に前記第１の割溝Ｓ１が形成され、幅方向の他方の側縁から略８０．０〜８２．５ｍｍの距離Ｚ２に前記第２の割溝Ｓ２が形成される。そして、この場合、前記第１の割溝Ｓ１と第２の割溝の上端の開口幅Ｗはほぼ７．５ｍｍとなる。
【００２３】
本発明は、また、上記した床用断熱材の複数枚が幅方向に間隔を置いて配置されており、隣接する該床用断熱材の群は可撓性を有する帯材によって互いに連接されていることを特徴とする軸組木造建築物用の床用断熱材ユニットをも開示する。好ましくは、前記床用断熱材ユニットにおいて、各床用断熱材は、前記中央部分１０ａの領域において前記帯材と一体に接合されている。
【００２４】
上記の床用断熱材ユニットは、複数の床用断熱材が可撓性を有する帯材によって互いに連接されているので、根太間への挿入作業が容易となるとともに、不用意に根太の間から落下してしまうのを防止することができる。また、中央部分において帯材と一体に接合しておくことにより、必要時に行う側方部分の分離作業も容易に行うことができる。
【００２５】
本発明はさらに、上記の床用断熱材または床用断熱材ユニットを用いる床断熱構造であって、床構造は対向して平行に位置する２本の土台におけるそれぞれの幅方向中心間の距離を等間隔に区分する位置に適数の根太が取り付けられ、各土台に接する位置には前記根太と同寸法の際根太が取り付けられている構造を備えた床構造であり、その床構造における前記際根太と該際根太に隣接する根太の間には、前記床用断熱材１０から第１の側方部分１０ｂまたは第２の側方部分１０ｃのいずれか一方を前記割溝Ｓ１またはＳ２の部分から除去した後の床用断熱材が挿入されており、隣接する根太同士の間には、前記床用断熱材１０がそのまま挿入されている構造を少なくとも備えることを特徴とする床断熱構造をも開示する。
【発明の効果】
【００２６】
本発明によれば、軸組木造建築物による異なったモジュールの床構造のすべてに対して、１種類の床用断熱材を用意するのみで、隣接する根太同士の間および際根太とそこに隣接する根太との間の双方に、適切にかつ容易に断熱材を挿入することが可能となる。それにより、断熱施工の容易性が得られるとともに、床用断熱材の在庫管理あるいは製品管理も容易となる。
【図面の簡単な説明】
【００２７】
【図１】軸組木造建築物の床部を説明する図。
【図２】本発明による床断熱構造の一例を示す断面図。
【図３】本発明による床断熱構造の具体例の板部を示す断面図。
【図４】本発明による床用断熱材の一例を説明するための短手方向の断面図。
【図５】床用断熱材の一具体例とその使用態様を説明する図。
【図６】図５に示した床用断熱材を用いた本発明による床断熱構造の一例を説明する図。
【図７】本発明による第２の床用断熱材の一例をその使用態様を説明する図。
【図８】第２の床用断熱材の他の例をその使用態様を説明する図。
【図９】本発明による床用断熱材ユニットの一例を示す斜視図。
【図１０】Ｖ字状の割溝の詳細を説明するための図。
【発明を実施するための形態】
【００２８】
以下、本発明を実施の形態に基づき説明する。
図１に斜視図、図２に床部の断面図を示すように、軸組工法における木造建築物の床部は、一般に、最初にコンクリートによる布基礎１が矩形状に作られ、その上に横幅Ｙの角材からなる土台２が固定される。土台２には柱３や間柱４が立設されるとともに、対向する土台２、２の間にやはり角材である適数の大引５が取り付けられ、該大引５の上に、横幅Ｄの角材からなる適数の根太６が配置される。
【００２９】
軸組工法での標準では、図２に示すように、対向する土台２、２の中心間の距離Ｓが等距離Ｘに区分され、大引５における各区分点の上に中心が位置するようにして前記根太６が配置される。また、土台２には柱３や間柱４が立設されており、土台２の上に根太６を配置することができないので、大引５上の土台２に接する箇所に際根太７が配置される。根太６と際根太７は呼称が異なるのみで、ともに同じ横幅Ｄの角材である。
【００３０】
床部の断熱を行うには、根太６と根太６の間、すなわち根太一般部には、対向する根太６、６の側面間の距離Ｔａ（＝Ｘ−Ｄ）にほぼ等しい横幅Ａである合成樹脂発泡体製の床用断熱材１０が挿入される。一方、前記際根太７と隣接する根太６の対向する側面間の距離Ｔｂは、根太間一般部における根太６、６の側面間の距離Ｔａより狭く、その距離Ｔｂは、Ｔａ−１／２（Ｙ＋Ｄ）となる。したがって、前記際根太７と隣接する根太６との間には、横幅ＢがほぼＴｂに等しい合成樹脂発泡体製の部分断熱材１０ｓが挿入される。
【００３１】
軸組工法において、現在、根太中心間の距離Ｘが３０３ｍｍと４５５ｍｍである２つの標準モジュールＭ１、Ｍ２が採用されており、各標準モジュールＭ１、Ｍ２において、土台２の横幅Ｙが１０５ｍｍ（Ｙ１）と１２０ｍｍ（Ｙ２）のもの、根太６（際根太７）の横幅Ｄが４０ｍｍ（Ｄ１）と４５ｍｍ（Ｄ２）のものとを選択組み合わせて施工するようにされている。
【００３２】
下記の表１および図３に示すように、Ｍ１＝３０３ｍｍの標準モジュールにおいて、Ｙ１とＤ１の組み合わせを取ると（選択１）、距離Ｔａは（３０３−４０）ｍｍ＝２６３ｍｍ、距離Ｔｂは（２６３−１／２（１０５＋４０））ｍｍ＝１９０．５ｍｍとなる（図３（ａ）参照）。同様に、Ｙ１とＤ２の組み合わせを取ると（選択２）、距離Ｔａは２５８ｍｍ、距離Ｔｂは１８３ｍｍとなる（図３（ｂ）参照）。Ｙ２とＤ１の組み合わせを取ると（選択３）、距離Ｔａは２６３ｍｍ、距離Ｔｂは１８３ｍｍとなる（図３（ｃ）参照）。Ｄ２とＹ２の組み合わせを取ると（選択４）、距離Ｔａは（３０３−４５）ｍｍ＝２５８ｍｍ、距離Ｔｂは（２５８−（６０＋２２．５））ｍｍ＝１７５．５ｍｍとなる（図３（ｂ）参照）。なお、表１で、Ｚ（Ｚ１、Ｚ２）は、Ｔａ−Ｔｂの値である。
【００３３】
【表１】
0005684073.tif 000002
【００３４】
本発明は、上記した４つのパターンの床構造における、根太６、６の間および際根太７と該際根太７に隣接する根太６の間に、容易に挿入することのできる合成樹脂発泡体製の床用断熱材１０を提供するものである。
【００３５】
なお、Ｙ、Ｄが同じ場合、Ｍ２＝４５５ｍｍの標準モジュールでは表２に示す寸法となる。表２からわかるように、Ｚ１、Ｚ２(mm)の数値は、Ｍ１＝３０３ｍｍの標準モジュールの場合と同じとなる。したがって、以下の説明では、Ｍ１＝３０３ｍｍの標準モジュールの場合の数値を例として採用して説明するが、Ｍ２-＝４５５ｍｍの標準モジュールにおいて本発明を実施する場合には、関係する数値を読み替えることで、そのまま実施することができる。
【００３６】
【表２】
0005684073.tif 000003
【００３７】
図４は、本発明による合成樹脂発泡体製の床用断熱材の一例を断面で示している。床用断熱材１０は、基本的形態として、平板状で矩形形状をなす中央部分１０ａと、該中央部分の長手方向の一方および他方の側辺側からほぼＶ字状をなす第１および第２の割溝Ｓ１、Ｓ２を介して斜め下方に傾斜した該中央部分と実質的に同じ厚みを持ちかつほぼ矩形形状をなす第１および第２の側方部分１０ｂ、１０ｃとを備える。そして、前記各側方部分１０ｂ、１０ｃの長手方向に沿った側方端面１１、１２は、その上縁１１ａ、１２ａがその下縁１１ｂ、１２ｂよりも外方に位置する傾斜面とされており、さらに前記双方の側方端面１１、１２の下縁１１ｂ、１２ｂ間の距離Ｐ１は前記隣接する根太間の距離Ｔａよりやや狭く、また、上縁１１ａ、１２ａ間の距離Ｐ２は前記隣接する根太間の距離Ｔａよりも広くされている。床用断熱材１０の厚みは根太６の高さとほぼ同じである。
【００３８】
床用断熱材１０の素材としての合成樹脂発泡体は、柔軟性を有し圧縮可能であり、反発弾性を有していて根太間に圧挿した場合に根太に断熱材の端部が密着する性質を有するものであるのが好ましい。具体的には、ポリオレフィン系樹脂やポリスチレン系樹脂を、押出発泡成形あるいはビーズ発泡成形によって成形したものが好ましい。
【００３９】
前記したように、床用断熱材１０の厚みは、床構造での根太６の高さとほぼ同じである。もし、厚みが根太６の高さよりも薄い場合には、適宜の脚を底面に形成することで、根太上面と断熱材上面とを一致させることが好ましい。上記の構成を備えた床用断熱材１０を床構造に取り付けるときに、根太一般部においては、そのままの形で根太６、６間に挿入される。際根太７とそれに隣接する根太６との間である際根太間においては、前記第１の側方部分１０ｂまたは第２の側方部分１０ｃのいずれか一方を施工現場で分離除去した後の部分断熱材１０ｓが挿入される。以下、その具体例をさらに詳細に説明する。
【００４０】
図５（ａ）は、床用断熱材１０の一つの具体例における短手方向の断面を、実際の数値も入れて示している。この例において、中央部分１０ａの上面幅および下面幅はともに１１０．５ｍｍ、第１の側方部分１０ｂの上面幅７２．５ｍｍ、下面幅７６．７ｍｍ、第２の側方部分１０ｃの上面幅６５．０ｍｍ、下面幅６９．２ｍｍであり、すべての厚みは４０ｍｍである。すべての下面の適所に５ｍｍの脚１３が適数形成されている。第１の側方部分１０ｂと第２の側方部分１０ｃは下方に向けて傾斜した姿勢とされており、第１の側方部分１０ｂと中央部分１０ａとの間にはＶ字状の割溝Ｓ１が、また、中央部分１０ａと第２の側方部分１０ｃとの間にはＶ字状の割溝Ｓ２が形成され、割溝Ｓ１および割溝Ｓ２の上端開口幅Ｗはともに１７．２ｍｍとされている。具体的には、第１の割溝Ｓ１は、中央部分１０ａの一方の側面と第１の側方部分１０ｂの対向する側面によって形成され、また、第２の割溝Ｓ２は、中央部分１０ａの他方の側面と第２の側方部分１０ｃの対向する側面によって形成されている。
【００４１】
この姿勢にあるときの前記側方端面１１、１２の下縁１１ｂ、１２ｂ間の距離Ｐ１は、７１．９ｍｍ＋１１０．５ｍｍ＋６４．５ｍｍ＝２４６．９ｍｍであって、前記選択１〜４でのＴａ値の狭い方の値２５８ｍｍよりも狭い。また、側方端面１１、１２の上縁１１ａ、１２ａ間の距離Ｐ２は、６９ｍｍ＋１７．２ｍｍ＋１１０．５ｍｍ＋１７．４ｍｍ＋６１．８ｍｍ＝２７５．９ｍｍであって、前記選択１〜４でのＴａ値の広い方の値２６３ｍｍよりも広い。したがって、選択１〜４のいずれの組み合わせであっても、床用断熱材１０は、図５（ａ）に示されるそのままの姿勢で隣接する根太６、６の間に容易に入り込むことができ、その後、押し下げて底面が大引５に接触して平板状の姿勢とされたときに、選択１と選択３の場合には、図５（ｂ）に示すように、側方端面１１、１２のほぼ全面を左右の根太６、６に密接させ、かつＶ字状の割溝Ｓの上端幅をほぼ７．５ｍｍにまで狭めた状態で根太間に挿入される。また、選択２と選択４の場合には、図５（ｃ）に示すように、側方端面１１、１２のほぼ全面を左右の根太６、６に密接させ、かつＶ字状の割溝Ｓの上端幅をほぼ５ｍｍにまで狭めた状態で根太間に挿入される。いずれの場合も、根太６、６間の断熱性はしっかりと確保される。
【００４２】
次に、際根太７と該際根太７に隣接する根太間に、床用断熱材１０を挿入する場合を説明する。最初に、土台２として横幅Ｙ１＝１０５ｍｍを用いる場合を説明する。この場合、根太６および際根太７として横幅Ｄ１＝４０ｍｍを用いる場合（前記選択１）には際根太７と根太６の間隔Ｔｂ＝１９０．５ｍｍ、根太６および際根太７として横幅Ｄ２＝４５ｍｍを用いる場合（前記選択２）には際根太７と根太６の間隔Ｔｂ＝１８３．０ｍｍとなる。それで、選択１および選択２の場合には、図５（ａ）に示した断熱材１０から第２の側方部分１０ｃを第２の割溝Ｓ２を利用して分離除去した後の第１部分断熱材１０ｓ１を用いる。
【００４３】
図５（ｄ）は第１部分断熱材１０ｓ１を示しており、その下方側の横幅は１８２．４ｍｍであって、Ｔｂ値の狭い方の値１８３．０ｍｍより狭い。また、上方側の横幅は１９６．８ｍｍであって、Ｔｂ値の広い方の値１９０．５ｍｍより広い。したがって、第１部分断熱材１０ｓ１は、選択１および選択２のいずれにおいても、図５（ｄ）に示されるそのままの姿勢で際根太７と該際根太７に隣接する根太６の間に容易に入り込むことができる。その後、押し下げて底面が大引５に接触して平板状の姿勢とされたときに、第１の側方部分１０ｂの側方端面１１を際根太７の側面に、また中央部分１０ａの右方側面を根太６の側面にほぼ密接させた姿勢で、際根太７と根太６の間に挿入される。そのときに、前記選択１の場合は、図５（ｅ）に示すように、Ｖ字状の第１の割溝Ｓ１の上端幅をほぼ７．５ｍｍにまで狭められた状態となり、選択２の場合には、図５（ｆ）に示すように、第１の割溝Ｓ１の上端幅が０、すなわち、第１の側方部分１０ｂの右方側面と中央部分１０ａの左方側面とが密着した状態となる。図６（ａ）には、選択１での、根太間一般部および際根太と根太との間における断熱材１０および第１部分断熱材１０ｓ１の状態が、また、図６（ｂ）には、選択２での、根太間一般部および際根太と根太との間における断熱材１０および第１部分断熱材１０ｓ１の状態が、それぞれ示されている。
【００４４】
次に、土台２として横幅Ｙ２＝１２０ｍｍを用いる場合を説明する。この場合、根太６および際根太７として横幅Ｄ１＝４０ｍｍを用いる場合（前記選択３）には際根太７と根太６の間隔Ｔｂ＝１８３．０ｍｍ、根太６および際根太７として横幅Ｄ２＝４５ｍｍを用いる場合（前記選択４）には際根太７と根太６の間隔Ｔｂ＝１７５．５ｍｍとなる。それで、選択３および選択４の場合には、図５（ａ）に示した断熱材１０から第１の側方部分１０ｂを第１の割溝Ｓ１を利用して分離除去した後の第２部分断熱材１０ｓ２を用いる。
【００４５】
図５（ｇ）は第２部分断熱材１０ｓ２を示しており、その下方側の横幅は１７５．０ｍｍであって、Ｔｂ値の狭い方の値１７５．５ｍｍより狭い。また、上方側の横幅は１８９．７ｍｍであって、Ｔｂ値の広い方の値１８３．０ｍｍより広い。したがって、第２部分断熱材１０ｓ２は、選択３および選択４のいずれにおいても、図５（ｇ）に示されるそのままの姿勢で際根太７と該際根太７に隣接する根太６の間に容易に入り込むことができる。その後、押し下げて底面が大引５に接触して平板状の姿勢とされたときに、第２の側方部分１０ｃの側方端面１２を際根太７の側面に、また中央部分１０ａの左方側面を根太６の側面にほぼ密接させた姿勢で、際根太７と根太６の間に挿入される。そのときに、前記選択３の場合は、図５（ｈ）に示すように、Ｖ字状の第２の割溝Ｓ２の上端幅をほぼ７．５ｍｍにまで狭められた状態となり、選択４の場合には、図５（ｉ）に示すように、第２の割溝Ｓ２の上端幅が０、すなわち、第２の側方部分１０ｃの左方側面と中央部分１０ａの右方側面とが密着した状態となる。図６（ｃ）には、選択３での、根太間一般部および際根太と根太との間における断熱材１０および第２部分断熱材１０ｓ２の状態が、また、図６（ｄ）には、選択４での、根太間一般部および際根太と根太との間における断熱材１０および第２部分断熱材１０ｓ２の状態が、それぞれ示されている。
【００４６】
次に、第２の床用断熱材１０Ｘについて図７を参照して説明する。上記した床用断熱材１０が前記選択１〜４の４つの態様に共用できるものであったのに対して、第２の床用断熱材１０Ｘは、根太６（際根太７）の横幅Ｄは同じであり、土台２の横幅の横幅ＹがＹ１とＹ２の２種類である２つの態様の床構造に共用できるようにしたものである。以下に、第２の床用断熱材１０Ｘの具体例を、前記表１に示した選択１と選択３の態様に共用できるものを例にとって説明する。
【００４７】
第２の床用断熱材１０Ｘの基本的な形状は、上記した床用断熱材１０と同じであり、同じ部材には同じ符号を付し、説明は省略する。図７（ａ）に示す床用断熱材１０Ｘにおいて、中央部分１０ａの上面幅および下面幅はともに１１０．５ｍｍ、第１の側方部分１０ｂの上面幅７８．０ｍｍ、下面幅７８．４ｍｍ、第２の側方部分１０ｃの上面幅７０．５ｍｍ、下面幅７１．０ｍｍである。すべての厚みは４０ｍｍであり、下面の適所に５ｍｍの脚１３が適数形成されている。また、前記した第１の割溝Ｓ１および第２の割溝Ｓ２上端開口幅Ｗはともに５．０ｍｍとされている。
【００４８】
この姿勢にあるときの側方端面１１、１２の下縁１１ｂ、１２ｂ間の距離Ｐ１は、７８．１ｍｍ＋１１０．５ｍｍ＋７０．７ｍｍ＝２５９．３ｍｍであって、前記選択１、３でのＴａ値２６３ｍｍよりも狭い。また、側方端面１１、１２の上縁１１ａ、１２ａ間の距離Ｐ２は、８２．７ｍｍ＋１１０．５ｍｍ＋７５．２ｍｍ＝２６８．４ｍｍであって、前記選択１、３でのＴａ値２６３ｍｍよりも広い。したがって、選択１、３のいずれであっても、床用断熱材１０Ｘは、図７（ａ）に示されるそのままの姿勢で隣接する根太６、６の間に容易に入り込むことができ、その後、押し下げて底面が大引５に接触して平板状の姿勢とされたときに、図７（ｂ）に示すように、側方端面１１、１２のほぼ全面を左右の根太６、６に密接させ、かつＶ字状の割溝Ｓ１、Ｓ２の上端幅をほぼ２．０ｍｍにまで狭めた状態で根太間に挿入される。その姿勢で、前記Ｚ１は７２．５ｍｍ、すなわち土台の横幅Ｙ１＝１０５ｍｍと根太の横幅Ｄ＝４０ｍｍの和のほぼ半分の距離であり、前記Ｚ２は８０．０ｍｍ、すなわち土台の横幅Ｙ２＝１２０ｍｍと根太の横幅Ｄ＝４０ｍｍの和のほぼ半分の距離である。そして、根太６、６間の断熱性はしっかりと確保される。
【００４９】
次に、際根太７と該際根太７に隣接する根太間に床用断熱材１０Ｘを挿入する場合を説明する。最初に、土台２として横幅Ｙ１＝１０５ｍｍを用いる場合を説明する（前記選択１）。この場合、際根太７と根太６の間隔Ｔｂ＝１９０．５ｍｍとなるので、選択１の場合には、図７（ａ）に示した断熱材１０Ｘから第２の側方部分１０ｃを第２の割溝Ｓ２を利用して分離除去した後の第１部分断熱材１０Ｘｓ１を用いる。図７（ｃ）は前記第１部分断熱材１０Ｘｓ１を示しており、その下方側の横幅は１８８．２ｍｍであって、Ｔｂ値１９０．５ｍｍより狭い。また、上方側の横幅は１９３．２ｍｍであって、Ｔｂ値１９０．５ｍｍより広い。したがって、第１部分断熱材１０Ｘｓ１は、選択１において、図７（ｃ）に示されるそのままの姿勢で際根太７と該際根太７に隣接する根太６の間に容易に入り込むことができる。その後、押し下げて底面が大引５に接触して平板状の姿勢とされたときに、第１の側方部分１０ｂの側方端面１１を際根太７の側面に、また中央部分１０ａの右方側面を根太６の側面にほぼ密接させた姿勢で、際根太７と根太６の間に挿入される。そのときに、図７（ｄ）に示すように、Ｖ字状の第１の割溝Ｓ１の上端幅をほぼ２．０ｍｍにまで狭められた状態となる。
【００５０】
次に、前記床用断熱材１０Ｘを、土台２として横幅Ｙ２＝１２０ｍｍを用いる場合を説明する（前記選択３）。この場合、際根太７と根太６の間隔Ｔｂ＝１８３．０ｍｍとなる。それで、選択３の場合には、図７（ａ）に示した断熱材１０Ｘから第１の側方部分１０ｂを第１の割溝Ｓ１を利用して分離除去した後の第２部分断熱材１０Ｘｓ２を用いる。図７（ｅ）は前記第２部分断熱材１０Ｘｓ２を示しており、その下方側の横幅は１８０．７ｍｍであって、Ｔｂ値１８３．０ｍｍより狭い。また、上方側の横幅は１８５．７ｍｍであって、Ｔｂ値１８０．０ｍｍより広い。したがって、第２部分断熱材１０Ｘｓ２は、選択３において、図７（ｅ）に示されるそのままの姿勢で際根太７と該際根太７に隣接する根太６の間に容易に入り込むことができる。その後、押し下げて底面が大引５に接触して平板状の姿勢とされたときに、第２の側方部分１０ｃの側方端面１２を際根太７の側面に、また中央部分１０ａの右方側面を根太６の側面にほぼ密接させた姿勢で、際根太７と根太６の間に挿入される。そのときに、図７（ｆ）に示すように、Ｖ字状の第１の割溝Ｓ１の上端幅をほぼ２．０ｍｍにまで狭められた状態となる。
【００５１】
なお、上記では、根太６（際根太７）の横幅Ｄが、Ｄ１＝４０ｍｍの場合を説明したが、Ｄ２＝４５ｍｍの場合、すなわち、表１での前記選択２と選択４の２態様（土台横幅ＹがＹ１＝１０５とＹ２＝１２０のいずれかで、根太の横幅Ｄはともに４５ｍｍの場合）に共用できる床用断熱材１０Ｘにおいても、それに合わせて前記Ｚ１＝７５．０ｍｍ、Ｚ２＝８２．５ｍｍとなるように、また、全体の横幅をＴａ＝２５８ｍｍとなるように調整することで、同様に所期の目的を達成することができる床用断熱材１０Ｘがえられる。図８は、その場合での床用断熱材１０Ｘを示しており、図８（ａ）〜図８（ｆ）は、具体的な寸法は異なっているが、それぞれ図７（ａ）〜図７（ｆ）に相当している。図８についての詳細な説明は省略する。
【００５２】
また、第２の床用断熱材１０Ｘにおいて、割溝Ｓ１、Ｓ２は、根太６、６間あるいは際根太７と根太６間に床用断熱材１０Ｘを挿入するときに、第１と第２の側方部分１０ｂ、１０ｃが前記上縁間の距離Ｐ２と下縁間の距離Ｐ１の差分だけ回動することができるように設けられるものである。したがって、割溝Ｓ１、Ｓ２の上端側の距離はより狭いものでよく、その場合に、断熱性が破壊される可能性を極力小さくすることができる利点がある。もちろん、前記上縁間の距離Ｐ２と下縁間の距離Ｐ１の差分（図示の例では、９．１ｍｍ）よりも少し（２〜３ｍｍ程度）広くしておくことで、際根太を含む根太設置の施工後差にも対応可能となる。
【００５３】
本発明による第３の床用断熱材は、土台２の横幅が一定値Ｙであり、根太６（際根太７）の横幅Ｄ（＜Ｙ）がＤ１およびＤ２（＞Ｄ１）と異なる２つの態様の床構造に共用できる床用断熱材である。図示しないが、第３の床用断熱材の全体形状は、実質的に上記した床用断熱材１０Ｘと同じである。ただ、前記第１の割溝Ｓ１の中央部分１０ａ側の位置が、床用断熱材１０Ｘを平板状の姿勢とした状態で第１の側方部分１０ｂの側方端面１１から土台の横幅Ｙと根太の横幅Ｄ１の和のほぼ半分の距離Ｚ１だけ内側に入った位置とされており、また、第２の割溝Ｓ２の中央部分１０ａ側の位置が、床用断熱材１０Ｘを平板状の姿勢とした状態で第２の側方部分１０ｃの側方端面１２から土台の横幅Ｙと根太の横幅Ｄ２との和のほぼ半分の距離Ｚ２だけ内側に入った位置とされている出でのみ相違する。使用態様等は床用断熱材１０Ｘと同じであり、説明は省略する。
【００５４】
図９は、本発明による床用断熱材ユニットの一例を示す。床用断熱材ユニット５０は、上記した床用断熱材１０または床用断熱材１０Ｘの複数個が幅方向に平行に、所要の間隔を置いて配置されており、各床用断熱材１０（１０Ｘ）の一部、好ましくは前記中央部分１０ａの個所が、可能性を有する帯状部材２０によって互いに接合されている構成を備える。この形態の床用断熱材ユニット５０は、複数個の床用断熱材１０（１０Ｘ）の取り扱いが容易となることに加え、不用意に一部の床用断熱材１０（１０Ｘ）が落下してしまうのを防止することができる。施工時に、いずれか一方の側方部分１０ｂ、１０ｃを分離する作業が必要となるが、側方部分１０ｂ、１０ｃは帯状部材２０には接着一体化していないので、分離作業は支障なく行うことができる。
【００５５】
図１０は、前記Ｖ字状の割溝Ｓ２の溝底部形状のいくつかの例を示している。なお、図示の都合から、割溝Ｓ２について説明するが、割溝Ｓ１についても同様である。いずれの場合も、割溝Ｓ２の中央部分１０ａ側の側面Ｓａ、すなわち、図で中央部分１０ａの左側側面Ｓａは垂直面とされ、他方の側面Ｓｂ、すなわち第２の側方部分１０ｃの図で左側側面Ｓｂは傾斜面とされている。また、割溝Ｓ２の底部Ｓｃは、分離作業が容易に行えるように、床用断熱材１０（１０Ｘ）の底面近傍まで達している。底部Ｓｃは、図１０（ａ）に示す例では右上がりの傾斜面であり、図１０（ｂ）に示す例では水平面であり、図１０（ｃ）に示す例ではほぼ円弧状となっている。発泡樹脂の種類や全体の形状と寸法に応じて、分離面ができるだけ平坦な面となるように底部Ｓｃの形状を選定することが望ましい。
【符号の説明】
【００５６】
２…土台、
５…大引、
６…根太、
７…際根太、
１０、１０Ｘ…合成樹脂発泡体製の床用断熱材、
１０ａ…床用断熱材の中央部分、
１０ｂ…床用断熱材の第１の側方部分、
１０ｃ…床用断熱材の第２の側方部分、
１０ｓ（１０ｓ１、１０ｓ２）…部分断熱材、
１１…第１の側方部分の側方端面、
１２…第２の側方部分の側方端面、
Ｐ１…床用断熱材における２つの側方部分の下縁間の距離、
Ｐ２…床用断熱材における２つの側方部分の上縁間の距離、
Ｓ１…Ｖ字状をなす第１の割溝、
Ｓ２…Ｖ字状をなす第２の割溝、
Ｗ…割溝の開口幅、
Ｙ（Ｙ１、Ｙ２）…土台の横幅、
Ｄ（Ｄ１、Ｄ２）…根太の横幅、
Ｔａ…根太間の距離、
Ｔｂ…際根太と根太との間の距離、
Ｚ１…土台の横幅Ｙ１と根太の横幅Ｄ１の和のほぼ半分の距離、
Ｚ２…土台の横幅Ｙ２と根太の横幅Ｄ２の和のほぼ半分の距離。
【図１】
0005684073.tif 000004
【図２】
0005684073.tif 000005
【図３】
0005684073.tif 000006
【図４】
0005684073.tif 000007
【図５】
0005684073.tif 000008
【図６】
0005684073.tif 000009
【図７】
0005684073.tif 000010
【図８】
0005684073.tif 000011
【図９】
0005684073.tif 000012
【図１０】
0005684073.tif 000013